(57)【要約】【課題】十分な強度を得つつ、竪樋の長さ方向における任意の位置に連結具を取り付けることのできる支持装置、及び竪樋の外壁取付方法の提供。【解決手段】竪樋２を支持する支持金具３を設ける。竪樋２にＣ溝形のリップ付きガイドレール４を設ける。ガイドレール４の溝内部に挿入するインサート金具６を設ける。インサート金具４を、締結ボルト８を螺合するナット部９と、リップ７に係止する係止プレート１０とに分けて構成する。係止プレート１０に締結ボルト８を貫通させるボルト貫通孔２２を形成する。ボルト貫通孔２２を鼓状に形成する。締結ボルト８に対して係止プレート１０を傾斜させることにより、ガイドレール４の任意の位置にインサート金具４を挿入する。インサート金具６に締結ボルト８を螺合してガイドレール４のリップ７を支持金具３に締結する。【選択図】  図１
2011122362.tif 000002
【特許請求の範囲】
【請求項１】
被支持部材の外面に形成された断面Ｃ溝形のリップ付きガイドレールの外側に配置され、前記リップを締結ボルトにより締結して建物等の外壁に被支持部材を支持する支持金具と、前記ガイドレール内に挿入されて締結ボルトと連結され、該締結ボルトの締め付けにより支持金具と共に前記リップを挟圧するインサート金具とを備え、
前記インサート金具は、ガイドレールの両リップ間の開口よりも幅狭に設定され、締結ボルトに螺合された状態でガイドレールの外側から溝内部に挿入可能とされたナット部と、該ナット部よりも支持金具側に配置され前記ガイドレールの両リップ間の開口よりも幅広に設定された係止プレートとから構成され、
前記係止プレートは、締結ボルトを貫通させるボルト貫通孔を有し、該ボルト貫通孔が、前記締結ボルトに対して係止プレートを傾斜可能な孔形状に設定され、前記係止プレートを締結ボルトに対して傾斜させながらガイドレールの外側から溝内部に挿入可能とされたことを特徴とする支持装置。
【請求項２】
前記インサート金具は、前記締結ボルトの未締結状態において、ガイドレールに対してスライド自在とされ、前記インサート金具をリップに向けて付勢してスライドを抑えるばねが設けられたことを特徴とする請求項１に記載の支持装置。
【請求項３】
支持金具に、建物等の外壁に取付け可能な取付ボルトが連結されたことを特徴とする請求項１又は２に記載の支持装置。
【請求項４】
前記被支持部材が竪樋であることを特徴とする請求項１、２又は３に記載の支持装置。
【請求項５】
竪樋の外面に形成された断面Ｃ字状のリップ付きガイドレールの溝内に外面側からインサート金具を挿入し、建物等の外壁に取付ボルトにより螺子固定した支持金具と前記インサート金具とをガイドレールの両リップ間の開口を通して挿入された締結ボルトにより螺子締めすることにより両金具で前記リップを挟圧し、支持金具をガイドレールに固定する竪樋の外壁取付方法において、
インサート金具を、ガイドレールの両リップ間の開口よりも幅狭のナット部と、ガイドレールの両リップ間の開口よりも幅広の係止プレートとから構成し、
係止プレートに形成されたボルト貫通孔を締結ボルトに対して係止プレートを傾斜可能な孔形状に設定し、
ナット部、係止プレートおよび締結ボルトを組み付けた状態で、ナット部をガイドレールの外側から溝内に挿入すると共に、係止プレートを締結ボルトに対して傾斜させながらガイドレールの外側から溝内部に挿入し、その後、締結ボルトを螺子締めすることによりインサート金具と支持金具とでガイドレールのリップを挟圧し、支持金具をガイドレールに固定することを特徴とする竪樋の外壁取付方法。
【発明の詳細な説明】
【技術分野】
【０００１】
本発明は、例えば、雨樋の竪樋などの長尺部材を支持するための支持装置、及び竪樋の外壁取付方法に関するものである。
【背景技術】
【０００２】
一般に、雨樋の竪樋などは、その周囲に巻き付けたバンドを支持板を介して建物の壁などに固定することにより支持されている。ただ、バンドを用いた支持装置は、竪樋などへのバンドの取付作業に手間がかかると共に、バンドを支持板に固定した後の竪樋などの位置調整ができないなど、施工性が悪くなりやすく、しかも、そのバンドが美観を損なうおそれがある。
【０００３】
これに対して、例えば特許文献１に、竪樋設置の施工性を高めると共に美観を向上させるべく、竪樋に形成したガイドレールを用いて竪樋を支持するようにした竪樋の支持装置を開示している（図２１参照）。
【０００４】
特許文献１の支持装置は、ガイドレール１０１の頂部開口を貫通するボルト１０２により、ガイドレール１０１の内面側の当て板１０３と外面側の連結板１０４とをボルト結合してガイドレール１０１に取り付け、その連結板１０４を、別のボルト１０５によって、建物に固定したアンカー１０６に連結するようにしている。
【先行技術文献】
【特許文献】
【０００５】
【特許文献１】特開２００８−８２１０５（段落番号００１４、００１６、００１７、００２０、図１）
【発明の概要】
【発明が解決しようとする課題】
【０００６】
ところで、特許文献１のようなガイドレールを用いた支持装置においては、当て板と連結板とをボルトで仮組立した後、ボルトをガイドレールの頂部開口に通しつつ当て板をガイドレールの端部から内面側に挿入することにより、当て板をガイドレールの内面側に配置するようにしている。さらに、組み立てた当て板及び連結板を例えば３ｍ〜４ｍ程度の距離をスライドさせることにより、当て板及び連結板をガイドレールの長さ方向における所定位置に配置するようにしている。
【０００７】
これに対して、例えば、ボルトで組み立てた当て板及び連結板を傾けて、その当て板をガイドレールの頂部開口に挿入することにより、長い距離に渡ってスライドさせることなく、ガイドレールの長さ方向における任意の位置に当て板及び連結板を取り付け、竪樋などの設置をより容易にすることが考えられる。
【０００８】
しかしながら、ボルトが突出する当て板をガイドレールの頂部開口から挿入するには、その開口幅や奥行きを広く設定する必要があり、竪樋などの製作や外観上好ましくない。一方、ボルトの径を小さくすることにより、ガイドレールを大きくすることなく、当て板を挿入可能にしようとすると、ボルト径を小さくする分、支持強度が低下しやすい。
【０００９】
本発明は、十分な強度を得つつ、ガイドレールの長さ方向における任意の位置に連結具を取り付けることのできる支持装置、及び竪樋の外壁取付方法の提供を目的とする。
【課題を解決するための手段】
【００１０】
上記目的を達成するために、本発明に係る支持装置は、被支持部材の外面に形成された断面Ｃ溝形のリップ付きガイドレールの外側に配置され、前記リップを締結ボルトにより締結して建物等の外壁に被支持部材を支持する支持金具と、前記ガイドレール内に挿入されて締結ボルトと連結され、該締結ボルトの締め付けにより支持金具と共に前記リップを挟圧するインサート金具とを備えたものである。さらに、前記インサート金具は、ガイドレールの両リップ間の開口よりも幅狭に設定され、締結ボルトに螺合された状態でガイドレールの外側から溝内部に挿入可能とされたナット部と、該ナット部よりも支持金具側に配置され前記ガイドレールの両リップ間の開口よりも幅広に設定された係止プレートとから構成されたものであり、前記係止プレートは、締結ボルトを貫通させるボルト貫通孔を有し、該ボルト貫通孔が、前記締結ボルトに対して係止プレートを傾斜可能な孔形状に設定され、前記係止プレートを締結ボルトに対して傾斜させながらガイドレールの外側から溝内部に挿入可能とされたものである。
【００１１】
上記構成によれば、インサート金具を、幅狭のナット部と、リップに係止する幅広の係止プレートとに分けて構成し、その係止プレートのボルト貫通孔を締結ボルトに対して係止プレートを傾斜可能な孔形状に設定するので、締結ボルトを大きく傾けることなく、係止プレートのみを十分に傾けることができる。
【００１２】
これにより、締結ボルトの径を小さくすることなく、ガイドレールの長さ方向における任意の位置で、その開口にインサート金具を挿入することができ、十分な強度を得つつ、連結具を容易に取り付けて支持装置を構成することができる。ここで、ボルト貫通孔を締結ボルトに対して係止プレートを傾斜可能な孔形状に設定するには、ボルト径よりも大き目の孔径に設定したり、鼓状の孔形状に設定したりすればよい。
【００１３】
また、締結ボルトの未締結状態において、インサート金具をガイドレールに対してスライド自在とし、インサート金具をリップに向けて付勢してスライドを抑えるばねを設けるようにしてもよい。
【００１４】
この構成によれば、インサート金具をガイドレールに対してスライドさせて位置調整を容易にすると共に、ばねの付勢力でインサート金具をリップに押しつけて、その摩擦力によってスライドを適度に抑えることができる。これにより、支持装置を組み立てる際の締結ボルトの未締結状態においても、インサート金具がガイドレールに沿って鉛直方向にスライドしながら落下するのを阻止することができる。
【００１５】
また、支持金具を建物等の外壁に取り付けるには、支持金具に、建物等の外壁に取付け可能な取付ボルトを連結した構造を例示できる。
【００１６】
また、上記の支持装置は、その支持する被支持部材を特に限定するものではないが、その被支持部材が竪樋である場合、本発明の構成を採用するのが特に好適である。つまり、ガイドレール端部からの長い距離に渡るインサート金具のスライドを不要にすることができるという点で、長尺部材を支持するには、本発明の支持装置の構成を採用するのが好適であり、さらに、長尺部材として竪樋を例示することができる。
【００１７】
また、本発明は、前記の支持装置に使用することのできる連結具を提供する。すなわち、本発明に係る連結具は、Ｃ溝形のリップ付きガイドレールの溝内部に挿入されるインサート金具と、該インサート金具に螺合されてガイドレールのリップと被取付部材とを締結する締結ボルトと、を備え、前記インサート金具は、締結ボルトを螺合するナット部と、リップに係止される係止プレートとからなり、前記ナット部は、ガイドレールの両リップ間の開口よりも幅狭に設定され、前記係止プレートは、前記開口よりも幅広に設定されると共に、締結ボルトを貫通させるボルト貫通孔が形成されてガイドレールの溝深さ方向外側から前記ナット部に重ねられ、前記ボルト貫通孔が締結ボルトに対して係止プレートを傾斜可能な孔形状に設定されたことを特徴とする。この連結具の構成によれば、前記の支持装置の構成を採用するのと同じ効果を得ることができる。
【００１８】
また、本発明は、竪樋の外面に形成された断面Ｃ字状のリップ付きガイドレールの溝内に外面側からインサート金具を挿入し、建物等の外壁に取付ボルトにより螺子固定した支持金具と前記インサート金具とをガイドレールの両リップ間の開口を通して挿入された締結ボルトにより螺子締めすることにより両金具で前記リップを挟圧し、支持金具をガイドレールに固定する竪樋の外壁取付方法を提供する。
【００１９】
具体的には、インサート金具を、ガイドレールの両リップ間の開口よりも幅狭のナット部と、ガイドレールの両リップ間の開口よりも幅広の係止プレートとから構成し、係止プレートに形成されたボルト貫通孔を締結ボルトに対して係止プレートを傾斜可能な孔形状に設定し、ナット部、係止プレートおよび締結ボルトを組み付けた状態で、ナット部をガイドレールの外側から溝内に挿入すると共に、係止プレートを締結ボルトに対して傾斜させながらガイドレールの外側から溝内部に挿入し、その後、締結ボルトを螺子締めすることによりインサート金具と支持金具とでガイドレールのリップを挟圧し、支持金具をガイドレールに固定する。
【発明の効果】
【００２０】
以上のとおり、本発明によると、インサート金具をナット部と係止プレートとに分けて構成し、その係止プレートを締結ボルトに対して傾斜可能とするので、締結ボルトを大きく傾けることなく、係止プレートのみを十分に傾けることができる。これにより、ガイドレールの開口にインサート金具を容易に挿入することができ、しかも、インサート金具を挿入する際に締結ボルトが邪魔になるのを防止することができるので、締結ボルトの径を小さくする必要がなく、十分な取付強度を得ることができる。
【００２１】
その結果、ガイドレールにインサート金具を挿入して被取付部材をボルト締結する構成を採用して、竪樋などの設置の施工性を高めると共に美観を向上させることができ、さらに、連結具を長い距離に渡ってスライドさせることなく、ガイドレールの長さ方向における任意の位置に取り付けることができ、竪樋などの設置をより容易にすることができる。
【図面の簡単な説明】
【００２２】
【図１】本発明に係る支持装置の斜視図
【図２】連結具の斜視図
【図３】支持装置の側面図
【図４】図１のＡ−Ａ断面図
【図５】図１のＢ−Ｂ断面図
【図６】竪樋の断面図
【図７】支持金具の正面図
【図８】支持金具の側面図
【図９】図５のＣ−Ｃ断面図
【図１０】連結具の正面図
【図１１】連結具の側面図
【図１２】連結具の平面図
【図１３】ナット部の背面図
【図１４】ナット部の側面図
【図１５】係止プレートの正面図
【図１６】係止プレートの側面図
【図１７】図１３のＤ−Ｄ断面図
【図１８】ガイドレールに係止された係止プレートの平面図
【図１９】連結具のスライド前の状態を示す断面図
【図２０】連結具のスライド前の状態を示す正面図
【図２１】連結具のスライド前の状態を示す平面図
【図２２】連結具の取付手順を説明する図
【図２３】従来の支持装置の斜視図
【発明を実施するための形態】
【００２３】
以下、本発明に係る支持装置、及び竪樋の外壁取付方法を実施するための形態について、図面を用いて説明する。
【００２４】
図１〜図５に示すように、支持装置１は、例えば長尺部材である竪樋２を支持するためのものであり、竪樋２を支持する支持金具３と、竪樋２に設けられたＣ溝形のリップ付きガイドレール４と、支持金具３とガイドレール４とを連結する連結具５と、を備えている。さらに、連結具５は、ガイドレール４の溝内部に挿入されるインサート金具６と、インサート金具６に螺合されてガイドレール４のリップ７を支持金具３に締結する締結ボルト８とからなり、そのインサート金具６が、締結ボルト８を螺合するナット部９と、リップ７に係止される係止プレート１０とに分割して構成されている。
【００２５】
図６に示すように、竪樋２は、例えば、雨水を地表付近に導くよう外壁１１に沿って鉛直に配置されるアルミニウム製で３ｍ〜４ｍ程度の長尺の筒状部材とされ、その外周面に、竪樋２の長手方向に沿って連続するガイドレール４が一体に形成されている。なお、竪樋２は、アルミニウム製に限らず、他の素材を用いて形成したものであってもよく、その長さも、３ｍ〜４ｍ程度よりも長くても短くてもよい。
【００２６】
図１、図３〜図５、図７〜図９に示すように、支持金具３は、長板の中央部を外壁側に突出するようコ字形に折り曲げた形状のハット形とされ、その中央コ字形部１２に固定された取付ボルトとしての六角ボルト１３を外壁１１に固定されたアンカー１４に螺合することにより、その前後方向の位置を調整しつつ外壁１１に取り付けられる。
【００２７】
六角ボルト１３は、中央コ字形部１２の頂部を竪樋２側から外壁１１側に貫通すると共に、そのボルトヘッドを中央コ字形部１２に溶接するなどして支持金具３に固定されている。さらに、六角ボルト１３をアンカー１４に螺合した後、六角ボルト１３に螺合したナット１５をアンカー１４に向けて締め付けることによって、六角ボルト１３がアンカー１４に固定されている。
【００２８】
支持金具３の両端部１６ａ、１６ｂには、連結具５の締結ボルト８で締結するための切欠１７ａ、１７ｂが形成されている。切欠１７ａは、上側端部１６ａの端縁を切り欠くように形成され、切欠１７ｂは、中央コ字形部１２の下側面から下側端部１６ｂを切り欠くように形成されている。
【００２９】
中央コ字形部１２の下側面には、切欠１７ｂに連続する開口１８が形成され、連結具５を上向きにスライドさせることにより、上側端部１６ａの上方に位置する締結ボルト８を切欠１７ａにセットすると共に、中央コ字形部１２の内側に位置する締結ボルト８を開口１８を通過させて切欠１７ｂにセットするようになっている。
【００３０】
ガイドレール４は、一対のＬ字形の突片４ａと竪樋２の外周面とによってリップ付きのＣ溝形に構成され、竪樋２を支持する際、締結ボルト８を締結する前に連結具５をこのガイドレール４に沿ってスライドさせることにより、竪樋２の上下方向の位置を調整できるようになっている。
【００３１】
図２、図１０〜図１２に示すように、インサート金具６は、ナット部９の正面側に係止プレート１０を重ねてなり、１つのインサート金具６に二本の締結ボルト８が螺合されると共に、締結ボルト８の未締結状態において、インサート金具６がガイドレール４に対してスライド可能とされる。
【００３２】
図１０〜図１４に示すように、ナット部９は、ガイドレール４の両リップ７間の開口１９にそのまま挿入できるよう、板幅（Ｂ１）が開口１９の幅（Ｂ２）よりも幅狭の長板とされ、その両端付近に締結ボルト８を螺合するためのボルト孔２０が形成されている。ナット部９の背面には、インサート金具６をリップ７に向けて付勢する板ばね２１が設けられ、この板ばね２１の付勢力によってリップ７との間に摩擦力を生じさせ、インサート金具６のスライドを抑えて、インサート金具６がガイドレール４に沿って落下するのを防止する。
【００３３】
図１０〜図１２、図１５〜図１８に示すように、係止プレート１０は、ナット部９と同程度の長さで、その幅（Ｂ３）が開口１９の幅（Ｂ２）よりも幅広の長板とされ、その両端付近に、ガイドレール４の溝深さ方向外側からナット部９に重ねることができるよう、締結ボルト８を貫通させるボルト貫通孔２２が形成されている。
【００３４】
ボルト貫通孔２２は、板厚方向における表面付近及び裏面付近の孔径が中央部の孔径よりも大きい鼓状に形成され、板厚方向中央部の孔径が締結ボルト８の径よりもわずかに大きく設定されている。これにより、係止プレート１０を締結ボルト８に対してボルト直角方向に位置決めしつつ、締結ボルト８がボルト貫通孔２２を貫通した状態で、係止プレート１０が締結ボルト８に対して傾斜可能とされる。
【００３５】
係止プレート１０の側縁部には切欠状のガイド溝２３が形成され、このガイド溝２３にリップ７が嵌ることにより、係止プレート１０がリップ７に係止される。
【００３６】
次に、竪樋２を外壁に取り付ける手順を説明する。まず、外壁１１にアンカー１４を固定し、これに、支持金具３に固定した六角ボルト１３を螺合して、外壁１１からの距離を調整しつつ、支持金具３を外壁１１に取り付ける。なお、溶接などによって予め六角ボルト１３を支持金具３に固定しておく代わりに、六角ボルト１３に図示しない別のナットを螺合しておき、アンカー１４に六角ボルト１３を螺合した後、その別のナットを締め付けて支持金具３を固定するようにしてもよい。
【００３７】
次いで、図１９〜図２１に示すように、連結具５を、その板ばね２１でスライドを抑えることにより、竪樋２のガイドレール４に仮装着し、下側の締結ボルト８が支持金具３の中央コ字形部１２の内側に位置するよう、竪樋２を配置する。
【００３８】
さらに、連結具５を下方にスライドさせることにより、上下の締結ボルト８を支持金具３の切欠１７ａ、１７ｂにセットし、締結ボルト８を締め付けてガイドレール４のリップ７を支持金具３に締結することにより、竪樋２が外壁１１に取り付けた支持金具３に支持される。
【００３９】
ここで、図２２を用いて、連結具５を竪樋２のガイドレール４に装着する手順を説明する。まず、ナット部９の正面側に係止プレート１０を重ねてインサート金具６を構成し、係止プレート１０の正面側からボルト貫通孔２２を貫通させてナット部９のボルト孔２０に締結ボルト８の先端部分を螺合することにより、連結具５を組み立てる。
【００４０】
次いで、連結具５のナット部９をガイドレール４の開口１９に挿入し（図２２（ａ））、締結ボルト８に対して係止プレート１０を傾斜させると共に（図２２（ｂ））、締結ボルト８を適宜傾けながら係止プレート１０を開口１９に挿入することにより、インサート金具６をガイドレール４の溝内部に挿入する（図２２（ｃ）〜（ｆ））。
【００４１】
ガイドレール４の溝内部に挿入したインサート金具６は、板ばね２１の付勢力によって、ガイドレール４の溝内側からリップ７に押しつけられる。これにより、係止プレート１０のガイド溝２３にリップ７が嵌って、係止プレート１０がリップ７に係止される。さらに、連結具５が、リップ７との間の摩擦力により、ガイドレール４に沿ってスライドをしながら落下するのを阻止され、ガイドレール４に連結具５が仮装着される（図１９〜図２１、図２２（ｇ））。
【００４２】
その後、仮装着した連結具５を所定の位置にスライドさせて締結ボルト８を締め付け（図２２（ｈ））、インサート金具６と支持金具３とでガイドレール４のリップ７を挟圧し、支持金具３をガイドレール４に固定する。その際、二本の締結ボルト８を設けているので、締結ボルト８を安定して締め付けることができる。なお、一本の締結ボルト８で締結する構成を採用する場合であっても、ガイドレール４の溝内面がナット部９の回転を規制することにより、締結ボルト８とナット部９の共回りを阻止することができる。これにより、支持装置１が構成されて、竪樋２が支持金具３に支持されて外壁１１に取り付けられる（図１、図３〜図５）。
【００４３】
上記構成によれば、インサート金具６をナット部９と係止プレート１０に分けた構造として、そのナット部９に締結ボルト８を螺合すると共に、係止プレート１０のボルト貫通孔２２を鼓状に形成している。これにより、係止プレート１０を締結ボルト８に対して傾斜可能としてガイドレール４の開口１９に挿入しやすくすることができ、ガイドレール４の開口１９が締結ボルト８の径と同程度の幅狭であっても、締結ボルト８の径をさらに小さくすることなく、ガイドレール４の任意の位置からその溝内部にインサート金具６を挿入することができる。
【００４４】
さらに、係止プレート１０の側縁部に切欠状のガイド溝２３を形成するので、この係止プレート１０をナット部９と共にガイドレール４の溝幅方向中央に位置決めすることができる。また、ナット部９の背面に板ばね２１を設けて連結具５のスライドを抑えるので、鉛直方向に配置した竪樋２であっても、締結ボルト８を締め付ける前の連結具５の落下を阻止することができ、しかも、板ばね２１がインサート金具６をガイドレール４のリップ７に押しつけることにより、係止プレート１０のガイド溝２３がリップ７に嵌るのを補助することができる。
【００４５】
これにより、十分な強度を得つつ、支持金具３にガイドレール４を容易に連結することができ、竪樋２の設置を簡単にすることができる。
【００４６】
なお、本発明は、上記の実施の形態に限定されるものではなく、本発明の範囲内において、適宜変更を加えることができる。例えば、支持装置１が支持する被支持部材は、竪樋２に限らず、他のあらゆる部材の支持に採用することができる。また、板ばね２１に代えて他の種類のばねを設けることもでき、ばねを省略することもできる。
【００４７】
また、ナット部９に二本の締結ボルト８を螺合する代わりに、一本あるいは三本以上の締結ボルト８を螺合してもよい。なお、一本の締結ボルト８を使用する場合であっても、ガイドレール４の溝内面がナット部９の回転を規制するので、締結ボルト８を締め付けるときのナット部９の共回りを生じることはない。
【００４８】
また、ボルト貫通孔２２は、鼓状に限定されるものではなく、係止プレート１０を締結ボルト８に対して傾斜可能とする形状であれば、他のあらゆる形状に設定することができる。具体的には、ボルト貫通孔２２を板厚方向における表面付近あるいは裏面付近の孔径が他方の孔径よりも大きい円錐台状に設定してもよく、ボルト貫通孔２２の全体を締結ボルト８の径よりも大きめの孔径に設定してもよく、ボルト貫通孔２２を長孔形状に設定してもよい。さらに、ボルト貫通孔２２を係止プレート１０の端縁から切り欠いた形状に設定することもできる。
【符号の説明】
【００４９】
１      支持装置
２      竪樋
３      支持金具
４      ガイドレール
４ａ    突片
５      連結具
６      インサート金具
７      リップ
８      締結ボルト
９      ナット部
１０    係止プレート
１１    外壁
１２    中央コ字形部
１３    六角ボルト
１４    アンカー
１５    ナット
１６ａ  上側端部
１６ｂ  下側端部
１７ａ、１７ｂ  切欠
１８    開口
１９    開口
２０    ボルト孔
２１    板ばね
２２    ボルト貫通孔
２３    ガイド溝
【図１】
2011122362.tif 000003
【図２】
2011122362.tif 000004
【図３】
2011122362.tif 000005
【図４】
2011122362.tif 000006
【図５】
2011122362.tif 000007
【図６】
2011122362.tif 000008
【図７】
2011122362.tif 000009
【図８】
2011122362.tif 000010
【図９】
2011122362.tif 000011
【図１０】
2011122362.tif 000012
【図１１】
2011122362.tif 000013
【図１２】
2011122362.tif 000014
【図１３】
2011122362.tif 000015
【図１４】
2011122362.tif 000016
【図１５】
2011122362.tif 000017
【図１６】
2011122362.tif 000018
【図１７】
2011122362.tif 000019
【図１８】
2011122362.tif 000020
【図１９】
2011122362.tif 000021
【図２０】
2011122362.tif 000022
【図２１】
2011122362.tif 000023
【図２２】
2011122362.tif 000024
【図２３】
2011122362.tif 000025